(57)【要約】【課題】ファクシミリデータの送信前にユーザが入力した宛先アドレスの形式を自動的に判別し、判別された宛先アドレスの形式がユーザの意図した宛先アドレスの形式か否かをユーザに確認させることによって、ファクシミリデータの誤送信を防止することができるネットワークファクシミリ装置を提供すること。【解決手段】送信確認制御部２１は、ユーザが操作部１１を介して入力した、ＩＰアドレス等の宛先アドレスの形式が、当該ユーザの意図したものであるかを確認する処理を制御する。宛先アドレス形式判別部２１ａは、前記入力された宛先アドレスの形式を判別する。確認用画面表示制御部２１ｂは、前記判別された宛先アドレスの形式を表示し、表示された宛先アドレスの形式が、ユーザの意図した宛先アドレスの形式であることを確認するための確認用画面を操作部１１のタッチパネルに表示する。【選択図】図２
2009224999.tif 000002
【特許請求の範囲】
【請求項１】
ファクシミリデータの送信先の宛先アドレスの形式を判別する判別部を備え、
前記判別された宛先アドレスの形式を表示し、表示された宛先アドレスの形式が、ユーザの意図した宛先アドレスの形式であることが確認された場合に、入力された宛先アドレスに、ファクシミリデータを送信することを特徴とするネットワークファクシミリ装置。
【請求項２】
前記判別部は、先ず、入力された宛先アドレスの文字が数字及び“．”のみから構成されているか否かによって、宛先アドレスの形式がＩＰアドレスであるか否かを判別し、ＩＰアドレスと確認されなかった場合に、次に、前記宛先アドレスの形式がホスト名又は自機登録番号と判別することを特徴とする請求項１に記載のネットワークファクシミリ装置。
【請求項３】
前記入力された宛先アドレスが前記ネットワークファクシミリ装置に接続するＤＮＳサーバー装置に登録されているか否かによって、当該宛先アドレスの形式がホスト名であるか否かを判別するか、又は、前記入力された宛先アドレスが前記ネットワークファクシミリ装置に記録されている自機登録番号テーブルに登録されているか否かによって、当該宛先アドレスの形式が自機登録番号と判別することを特徴とする請求項２に記載のネットワークファクシミリ装置。
【請求項４】
前記入力された宛先アドレスがホスト名又は自機登録番号と確認されなかった場合に、次に、入力された宛先アドレスの形式がＳＩＰアドレス／Ｅ．１６４番号／ｈ３２３−ＩＤのいずれかであると判別することを特徴とする請求項３に記載のネットワークファクシミリ装置。
【請求項５】
ファクシミリデータの送信先の宛先アドレスの形式を判別するステップと、
判別された宛先アドレスの形式を表示及び当該表示された宛先アドレスの形式が、ユーザの意図した宛先アドレスの形式であるか否か確認を求める画面を表示するステップと、
ユーザの意図した宛先アドレスの形式であることが確認された場合に、入力された宛先アドレスに、ファクシミリデータを送信するステップとを備えたことを特徴とするファクシミリデータ送信方法。
【請求項６】
請求項５に記載のファクシミリデータ送信方法を実行することを特徴とするプログラム。
【請求項７】
請求項６に記載のプログラムを記録した記録媒体。
【発明の詳細な説明】
【技術分野】
【０００１】
本発明は、ネットワークファクシミリ装置に係わり、特に、ユーザが入力した宛先アドレスの形式を当該ユーザに確認させることでファクシミリデータの誤送信を防止することができるネットワークファクシミリ装置に関する。
【背景技術】
【０００２】
従来から、インターネットに接続可能なネットワークファクシミリ装置において、ファクシミリデータの誤送信を防止する手法が提案されている（特許文献１参照）。
【０００３】
ところで、ＩＴＵ−Ｔ勧告Ｔ．３８に基づくネットワークファクシミリ装置においては、送信先を特定するためのＩＰアドレス、ホスト名、ＳＩＰアドレス、ファックス番号などの宛先アドレスの他に、「ＩＰアドレス」、「ホスト名」、「ＳＩＰ＿ＵＲＩ」、「Ｅ．１６４番号」、「ｈ．３２３−ｉｄ」等の宛先アドレスの形式（種別）を入力しなければならないことがある。
【０００４】
例えば、ユーザが、前記ネットワークファクシミリ装置を利用して、ＳＩＰプロトコルを用いて“foo@hogehoge.com”にファクシミリデータを送信する場合には、当該ユーザは、宛先アドレスとして“foo@hogehoge.com”を入力し、当該宛先アドレスに対応する宛先アドレスの形式、「ＳＩＰ＿ＵＲＩ」を入力しなければならない。
【特許文献１】特開平１１−２２０５９６号公報
【発明の開示】
【発明が解決しようとする課題】
【０００５】
前述のように、宛先アドレスの形式を入力しなければならない場合、ユーザは、宛先アドレスを正しく入力するだけでなく、正しい宛先アドレスの形式を入力しなければならない。
【０００６】
例えば、前記ユーザは、“foo@hogehoge.com”と正しい宛先アドレスを入力したが、宛先アドレスの形式として「ＳＩＰ＿ＵＲＩ」と入力すべきところを、入力を誤って「ｈ．３２３−ｉｄ」と入力し、ファクシミリデータを送信すると、当該送信ファクシミリデータがユーザの意図した相手に送信されないことがある。
【０００７】
また、特許文献１には、前述のように宛先アドレスの形式の誤入力を防ぎ、誤送信を防止することは想定されておらず、前記宛先アドレスの形式の誤入力につき何ら開示がされていない。
【０００８】
本発明は、かかる実情に鑑みてなされたものであり、ファクシミリデータの送信前にユーザが入力した宛先アドレスの形式を自動的に判別し、判別された宛先アドレスの形式がユーザの意図した宛先アドレスの形式か否かをユーザに確認させることによって、ファクシミリデータの誤送信を防止することができるネットワークファクシミリ装置を提供することを目的とする。
【課題を解決するための手段】
【０００９】
第１の技術手段は、ファクシミリデータの送信先の宛先アドレスの形式を判別する判別部を備え、前記判別された宛先アドレスの形式を表示し、表示された宛先アドレスの形式が、ユーザの意図した宛先アドレスの形式であることが確認された場合に、入力された宛先アドレスに、ファクシミリデータを送信することを特徴とするネットワークファクシミリ装置である。
【００１０】
第２の技術手段は、第１の技術手段において、前記判別部は、先ず、入力された宛先アドレスの文字が数字及び“．”のみから構成されているか否かによって、宛先アドレスの形式がＩＰアドレスであるか否かを判別し、ＩＰアドレスと確認されなかった場合に、次に、前記宛先アドレスの形式がホスト名又は自機登録番号と判別することを特徴とする。
【００１１】
第３の技術手段は、第２の技術手段において、前記入力された宛先アドレスが前記ネットワークファクシミリ装置に接続するＤＮＳサーバー装置に登録されているか否かによって、当該宛先アドレスの形式がホスト名であるか否かを判別するか、又は、前記入力された宛先アドレスが前記ネットワークファクシミリ装置に記録されている自機登録番号テーブルに登録されているか否かによって、当該宛先アドレスの形式が自機登録番号と判別することを特徴とする。
【００１２】
第４の技術手段は、第３の技術手段において、前記入力された宛先アドレスがホスト名又は自機登録番号と確認されなかった場合に、次に、入力された宛先アドレスの形式がＳＩＰアドレス／Ｅ．１６４番号／ｈ３２３−ＩＤのいずれかであると判別することを特徴とする。
【００１３】
第５の技術手段は、ファクシミリデータの送信先の宛先アドレスの形式を判別するステップと、判別された宛先アドレスの形式を表示及び当該表示された宛先アドレスの形式が、ユーザの意図した宛先アドレスの形式であるか否か確認を求める画面を表示するステップと、ユーザの意図した宛先アドレスの形式であることが確認された場合に、入力された宛先アドレスに、ファクシミリデータを送信するステップとを備えたことを特徴とするファクシミリデータ送信方法である。
【００１４】
第６の技術手段は、第５の技術手段のファクシミリデータ送信方法を実行することを特徴とするプログラムである。
【００１５】
第７の技術手段は、第６の技術手段のプログラムを記録した記録媒体である。
【発明の効果】
【００１６】
本発明により、ファクシミリデータの送信前にユーザが入力した宛先アドレスの形式がユーザの意図した宛先アドレスの形式か否かをユーザに確認させることによって、ファクシミリデータの誤送信を防止することができる。また、キュリティレベルが高いファクシミリデータの誤送信を効果的に防止することができ、同ファクシミリデータの外部流出を防ぐことができる。
【発明を実施するための最良の形態】
【００１７】
図１は、本発明に係わるネットワークファクシミリ装置などから構成されるネットワークシステムを示した図である。
１は、本発明に係わる（Ｔ．３８）ネットワークＦＡＸ装置（以下、ネットワークファクシミリ装置と記す）で、ＩＰネットワーク網Ｎに接続し、Ｇ３規格のファクシミリデータを、ＩＰネットワーク網パケット回線を介して送受信するためのＴ．３８プロトコルを用いて、他のネットワークファクシミリ装置又は例えば（Ｔ．３０）アナログＦＡＸ装置６とファクシミリデータの送受信を行う。
【００１８】
２は、ＤＮＳサーバー装置で、ホスト名（ドメイン名）のＩＰアドレスを管理し、ホスト名を、ＩＰアドレスに変換する。
３は、ゲートキーパー装置で、Ｈ．３２３のＩＰアドレスを管理し、ｈ３２３−ＩＤ（gwy1@domain.com等）／Ｅ．１６４番号（標準の電話番号）をＩＰアドレスに変換する。
【００１９】
４は、ＳＩＰサーバー装置で、ＳＩＰ（Session Initiation Protocol）のＩＰアドレスを管理し、ＳＩＰプロトコルを利用して、データの送受信制御を実行する。
５は、ゲートウェイ装置で、ＩＰネットワーク網−ＰＳＴＮ網（Public Switched Telephone Networks：アナログ公衆電話交換回線）間におけるデータ送受信を可能にするために、通信プロトコルの変換処理など各種通信制御を実行する。
【００２０】
図２は、本発明に係わるネットワークファクシミリ装置１を説明するためのブロック図である。
１１は、ネットワークファクシミリ装置１を操作するためのテンキーやタッチパネル等から構成される操作部で、１２は、ネットワークＮに接続するインファーフェイスを提供するネットワークＩ／Ｆである。
１３は、送信用原稿を読み取り、ビットマップデータ等の電子データに変換するスキャナ部である。なお、変換後の電子データは、ＴＩＦＦ形式などのファイル形式に変換され、ＨＤＤ１８等に記録される。
【００２１】
１４は、ファクシミリ機能を実行するファクシミリ部である。具体的には、スキャナ部１３によって読み取られた送信用原稿の電子データから送信用ファクシミリデータ（ＭＨなどの圧縮形式で圧縮されたデータ）を生成し、生成したデータを、ユーザが操作部１１を介して入力した宛先アドレス、及び、同宛先アドレスの形式、例えば、「ＩＰアドレス」、「ホスト名」、「自機登録番号（ワンタッチダイアル）」、「ＳＩＰ＿ＵＲＩ」、「ｈ３２３−ＩＤ」、「Ｅ．１６４番号」等で指定された宛先に送信する処理、また、他のファクシミリ装置が送信したファクシミリデータを受信しＨＤＤ１８等に記録し、記録したファクシミリデータを順次、印字部１５を用いて印字する。
【００２２】
１６は、ＲＯＭで、１７は、ＲＡＭである。ＨＤＤ１８は、大容量記録装置で、前述のワンタッチダイアル機能を実現するための、例えば２桁の数字から構成される入力簡易番号と宛先アドレスとを対応させて記録したワンタッチダイアル用テーブルを格納する。１９は、各機能ブロックを制御する制御部である。
【００２３】
２１は、ユーザが操作部１１を介して入力した、ＩＰアドレス、ＳＩＰアドレス、ファックス番号などの宛先アドレスの形式が、当該ユーザの意図したものであるかを確認する処理を制御する送信確認制御部で、前記入力された宛先アドレスの形式を判別する宛先アドレス形式判別部２１ａと、前記判別された宛先アドレスの形式を表示し、表示された宛先アドレスの形式が、ユーザの意図した宛先アドレスの形式であることを確認するための確認用画面を操作部１１のタッチパネルに表示する処理を制御する確認用画面表示制御部２１ｂとを有する。
【００２４】
以下、宛先アドレス形式判別部２１ａ、確認用画面表示制御部２１ｂの機能について詳細に説明する。
図３は、ユーザが入力した宛先アドレスの形式を判別する際に参照される対応表５０を示したものである。
対応表５０では、各種宛先アドレスの形式に対応して、入力可能文字が定められている。例えばＳＩＰ  ＵＲＩには“ＲＦＣ２３９６，ＲＦＣ３２６１”により、ｈ３２３−ＩＤにはＩＳＯ／ＩＥＣ  １０６４６−１により、Ｅ．１６４番号には“ＪＴ−Ｈ．３２３”により前記入力可能文字が定められている。前記入力可能文字に基づき、宛先アドレスの形式を判別する。
なお、対応表５０は、ＨＤＤ１８に記録されているとする。
【００２５】
宛先アドレスが入力されると、宛先アドレス形式判別部２１ａが、先ず、入力された宛先アドレスの文字種を特定し、当該入力された宛先アドレスが数字及び"."のみから構成されている場合には、該入力された宛先アドレスの形式がＩＰアドレスであると判別する。
すると、宛先アドレスの形式がＩＰアドレスか否かを確認するための画面が、操作部１１のタッチパネルに確認用画面表示制御部２１ｂによって表示される。ユーザが、判別された宛先アドレスの形式がユーザの意図する宛先アドレスの形式であると確認した場合には、入力された宛先アドレスで指定された宛先アドレスにファクシミデータを送信する。
【００２６】
続いて、ユーザが宛先アドレスの形式がＩＰアドレスでないことを確認した場合、又は、上記の判別処理により宛先アドレスの形式がＩＰアドレスでないと判別した場合、宛先アドレス形式判別部２１ａが、ＤＮＳサーバー装置２に、入力された宛先アドレスが同サーバー装置２に登録されているかを問い合わせ、前記入力された宛先アドレスが前記サーバー装置２に登録されている場合には入力された宛先アドレスの形式がホスト名であると判別する。
すると、宛先アドレスの形式がホスト名か否かを確認するための画面が、操作部１１のタッチパネルに確認用画面表示制御部２１ｂによって表示される。
なお、ファクシミリデータの送信手順に入る前であっても、タイミング限定されること無くＤＮＳサーバー装置へのアクセスが可能である。
【００２７】
続いて、ユーザが宛先アドレスの形式がホスト名でないことを確認した場合、又は、上記の判別処理により宛先アドレスの形式がホスト名でないと判別した場合、宛先アドレス形式判別部２１ａが、ＨＤＤ１８に格納されているワンタッチダイアル用テーブルを参照し、当該テーブルに前記入力された宛先アドレス（入力簡易番号）が登録されているか否かを判別し、登録されていれば、入力された宛先アドレスの形式が自機登録番号の宛先アドレスと判別する。
すると、宛先アドレスの形式が自機登録番号か否かを確認するための画面が、操作部１１のタッチパネルに確認用画面表示制御部２１ｂによって表示される。
【００２８】
続いて、ユーザが宛先アドレスの形式が自機登録番号でないことを確認した場合、又は、上記の判別処理により宛先アドレスの形式が自機登録番号でないと判別した場合、宛先アドレス形式判別部２１ａが、宛先アドレスの形式がＳＩＰアドレス／Ｅ．１６４番号／ｈ３２３−ＩＤのいずれかであると判別する。
すると、ＳＩＰアドレス／Ｅ．１６４番号／ｈ３２３−ＩＤの順で、ユーザに対し、宛先アドレスの形式の確認を求める画面が操作部１１のタッチパネルに確認用画面表示制御部２１ｂによって表示される。
【００２９】
（ＩＰアドレス）
まず宛先アドレスの形式をＩＰアドレスであると判別しユーザに確認する処理について図４に示すフロー図、及び、図５、図６に示す表示画面を用いて説明する。
ユーザが、操作部１１のタッチパネルに表示された待機画面（図５（Ａ）参照）の“アドレス入力キー”を押す。すると、確認用画面表示制御部２１ｂによって宛先入力画面（図５（Ｂ）参照）が表示され、ユーザは当該入力画面を介して宛先アドレスを入力する（ステップＳ１）。
【００３０】
次に、宛先アドレス形式判別部２１ａは、入力された宛先アドレスの形式を判別する（ステップＳ２）。具体的には、入力された宛先アドレスの文字種を特定し、当該入力された宛先アドレスが数字及び"."のみから構成されている場合には、該入力された宛先アドレスの形式がＩＰアドレスであると判別する。
【００３１】
入力された宛先アドレスの形式がＩＰアドレスであると判別されると（ステップＳ２／ＹＥＳ）、確認用画面表示制御部２１ｂは、ユーザに、当該ユーザが入力した宛先アドレスの形式がＩＰアドレスか否かを確認するための画面（図６（Ａ）参照）を表示し確認を促す（ステップＳ３）。
ユーザが、当該ユーザが入力した宛先アドレスの形式がＩＰアドレスであることを確認して、図６（Ａ）の“はい”ボタンにタッチすると（ステップＳ４／ＹＥＳ）、送信確認制御部２１は、入力されたＩＰアドレスを送信ファクシミリデータの宛先として設定する（ステップＳ５）。同時に、確認用画面表示制御部２１ｂは、ＩＰアドレス宛にファクシミリデータを送信する旨の画面（図６（Ｂ）参照）を表示する。
【００３２】
そして、送信確認制御部２１は、ステップＳ５で設定した宛先にファクシミリデータを送信するようにファクシミリ部１４に指示する（ステップＳ６）。
【００３３】
ステップＳ２で入力された宛先アドレスの形式がＩＰアドレスでないと判別された場合（ステップＳ２／ＮＯ）、又は、ステップＳ４でユーザが図６（Ａ）の“いいえ”ボタンにタッチした場合（ステップＳ４／ＮＯ）には、図７のフロー図に示す処理を実行する。
【００３４】
（ホスト名）
次に、宛先アドレスの形式をホスト名であると判別しユーザに確認する処理について図７に示すフロー図、及び、図８に示す表示画面を用いて説明する。
ここでは、図４のステップＳ１で説明したように、宛先入力画面（図８（Ａ）参照）を介してユーザが宛先アドレスとしてホスト名を入力し、図４で説明した各ステップの実行が終了し、図４のフロー図“Ａ”から処理を開始するものとする。
宛先アドレス形式判別部２１ａは、ＤＮＳサーバー装置２に入力された宛先アドレスが同サーバー装置２に登録されているかを問い合わせる処理、いわゆるアドレス解決を実行する（ステップＳ１１）。
【００３５】
宛先アドレス形式判別部２１ａは、前記入力された宛先アドレスが前記サーバー装置２に登録されている場合には（ステップＳ１２／ＹＥＳ）、入力された宛先アドレスの形式がホスト名であると判別する。
そして、確認用画面表示制御部２１ｂは、ユーザに、当該ユーザが入力した宛先アドレスの形式がホスト名か否かを確認するための画面（図８（Ｂ）参照）を表示し確認を促す（ステップＳ１３）。
【００３６】
ユーザが、当該ユーザが入力した宛先アドレスの形式がホスト名であることを確認して、図８（Ｂ）の“はい”ボタンにタッチすると（ステップＳ１４／ＹＥＳ）、送信確認制御部２１は、ＤＮＳサーバー装置２から取得した前記入力されたホスト名に対応するアドレスを送信ファクシミリデータの宛先として設定する（ステップＳ１５）。同時に、確認用画面表示制御部２１ｂは、入力されたホスト名宛にファクシミリデータを送信する旨の画面（図８（Ｃ）参照）を表示する。
そして、送信確認制御部２１は、ステップＳ１５で設定した宛先にファクシミリデータを送信するようにファクシミリ部１４に指示する（ステップＳ１６）。
【００３７】
ステップＳ１２で前記入力された宛先アドレスが前記サーバー装置２に登録されていない場合（ステップＳ１２／ＮＯ）、ステップＳ１４でユーザが図８（Ｂ）の“いいえ”ボタンにタッチした場合（ステップＳ１４／ＮＯ）には、図９のフロー図に示す処理を実行する。
【００３８】
（自機登録番号）
次に、宛先アドレスの形式を自機登録番号であると判別しユーザに確認する処理について図９に示すフロー図、及び、図１０に示す表示画面を用いて説明する。
ここでは、図４のステップＳ１で説明したように、宛先入力画面（図１０（Ａ）参照）を介してユーザが宛先アドレスとして自機登録番号を入力し、図４及び図７で説明した各ステップの実行が終了し、図７のフロー図“Ｂ”から処理を開始するものとする。
【００３９】
宛先アドレス形式判別部２１ａは、ＨＤＤ１８に格納されているワンタッチダイアル用テーブル内に前記入力された宛先アドレス（入力簡易番号）が登録されているか否かを判定し、当該テーブル内に前記入力された宛先アドレスが登録されていると判定された場合には（ステップＳ２２／ＹＥＳ）、入力された宛先アドレスの形式が自機登録番号の宛先アドレスと判別する。
【００４０】
そして、確認用画面表示制御部２１ｂは、ユーザに、当該ユーザが入力した宛先アドレスの形式が自機登録番号か否かを確認するための画面（図１０（Ｂ）参照）を表示し確認を促す（ステップＳ２３）。
【００４１】
ユーザが、当該ユーザが入力した宛先アドレスの形式が自機登録番号であることを確認して、図１０（Ｂ）の“はい”ボタンにタッチすると（ステップＳ２４／ＹＥＳ）、送信確認制御部２１は、前記入力されたアドレスに対応する前記テーブル内のアドレスを取得し、当該取得したアドレスを送信ファクシミリデータの宛先として設定する（ステップＳ２５）。同時に、確認用画面表示制御部２１ｂは、入力されたホスト名宛にファクシミリデータを送信する旨の画面（図１０（Ｃ）参照）を表示する。
そして、送信確認制御部２１は、ステップＳ２５で設定した宛先にファクシミリデータを送信するようにファクシミリ部１４に指示する（ステップＳ２６）。
【００４２】
ステップＳ２２で前記テーブル内に前記入力されたアドレスがないと判定された場合（ステップＳ２２／ＮＯ）、ステップＳ２４でユーザが図１０（Ｂ）の“いいえ”ボタンにタッチした場合（ステップＳ２４／ＮＯ）には、図１１のフロー図に示す処理を実行する。
【００４３】
（ＳＩＰアドレス／Ｅ．１６４番号／ｈ３２３−ＩＤ）
次に、宛先アドレスがＳＩＰアドレス等であると判別しユーザに確認する処理について図１１に示すフロー図、及び、図１２〜図１５に示す表示画面を用いて説明する。
ここでは、図４のステップＳ１で説明したように、宛先入力画面（図１２参照）を介してユーザが宛先アドレスとしてＳＩＰアドレス（図１２（Ａ））／Ｅ．１６４番号（図１２（Ｂ））／ｈ３２３−ＩＤ（図１２（Ｃ））のいずれかを入力し、図４、図７、図９で説明した各ステップの実行が終了し、図９のフロー図“Ｃ”から処理を開始するものとする。
【００４４】
確認用画面表示制御部２１ｂは、ユーザに、当該ユーザが入力した宛先アドレスの形式がＳＩＰアドレスか否かを確認するための画面（図１３（Ａ）参照）を表示し確認を促す（ステップＳ３１）。
【００４５】
ユーザが、当該ユーザが入力した宛先アドレスの形式がＳＩＰアドレスであることを確認して、図１３（Ａ）の“はい”ボタンにタッチすると（ステップＳ３２／ＹＥＳ）、送信確認制御部２１は、入力されたＳＩＰアドレスを送信ファクシミリデータの宛先として設定する（ステップＳ３３）。同時に、確認用画面表示制御部２１ｂは、入力されたＳＩＰアドレスにファクシミリデータを送信する旨の画面（図１３（Ｂ）参照）を表示する。そして、ステップＳ３３で設定した宛先にファクシミリデータを送信するようにファクシミリ部１４に指示する（ステップＳ３４）。
【００４６】
ステップ３２において、ユーザが、当該ユーザが入力した宛先アドレスの形式がＳＩＰアドレスでないことを確認して、図１３（Ａ）の“いいえ”ボタンにタッチすると（ステップＳ３２／ＮＯ）、確認用画面表示制御部２１ｂは、ユーザに、当該ユーザが入力した宛先アドレスの形式がＥ．１６４番号か否かを確認するための画面（図１４（Ａ）参照）を表示し確認を促す（ステップＳ３５）。
【００４７】
ステップ３６において、ユーザが、当該ユーザが入力した宛先アドレスの形式がＥ．１６４番号であることを確認して、図１４（Ａ）の“はい”ボタンにタッチすると（ステップＳ３６／ＹＥＳ）、送信確認制御部２１は、入力されたＥ．１６４番号を送信ファクシミリデータの宛先として設定する（ステップＳ３７）。同時に、確認用画面表示制御部２１ｂは、入力されたＥ．１６４番号にファクシミリデータを送信する旨の画面（図１４（Ｂ）参照）を表示する。そして、ステップＳ３７で設定した宛先にファクシミリデータを送信するようにファクシミリ部１４に指示する（ステップＳ３４）。
【００４８】
ステップ３６において、ユーザが、当該ユーザが入力した宛先アドレスの形式がＥ．１６４番号でないことを確認して、図１４（Ａ）の“いいえ”ボタンにタッチすると（ステップＳ３６／ＮＯ）、確認用画面表示制御部２１ｂは、ユーザに、当該ユーザが入力した宛先アドレスｈ３２３−ＩＤか否かを確認するための画面（図１５（Ａ）参照）を表示し確認を促す（ステップＳ３８）。
【００４９】
ステップ３９において、ユーザが、当該ユーザが入力した宛先アドレスの形式がｈ３２３−ＩＤであることを確認して、図１５（Ａ）の“はい”ボタンにタッチすると（ステップＳ３９／ＹＥＳ）、送信確認制御部２１は、入力されたｈ３２３−ＩＤを送信ファクシミリデータの宛先として設定する（ステップＳ４０）。同時に、確認用画面表示制御部２１ｂは、入力されたｈ３２３−ＩＤにファクシミリデータを送信する旨の画面（図１５（Ｂ）参照）を表示する。そして、ステップＳ４０で設定した宛先にファクシミリデータを送信するようにファクシミリ部１４に指示する（ステップＳ３４）。
【００５０】
ステップ３９において、ユーザが、当該ユーザが入力した宛先アドレスの形式がｈ３２３−ＩＤでないことを確認して、図１５（Ａ）の“いいえ”ボタンにタッチすると（ステップＳ３９／ＮＯ）、送信確認制御部２１は、送信処理をキャンセルする（ステップＳ４１）。
【００５１】
上記フロー図で説明した各ステップをプログラムによって実行することができる。また、前記プログラムをＣＤ−ＲＯＭ、ＤＶＤ等の各種記録媒体に記録することができる。
前述のフロー図で説明した確認処理の順序は、一例であり、任意に順序を変更することが可能である。
宛先アドレスの判別方法は、上記方法に限定されない。例えば、宛先アドレスに“０〜９”、“＃”、“＊”が含まれている場合には、当該宛先アドレスの形式をＥ．１６４番号と判別してもよい。また、“＠”が含まれている場合には、ＳＩＰアドレス、又は、ｈ３２３−ＩＤと判別してもよい。
【図面の簡単な説明】
【００５２】
【図１】本発明に係わるネットワークファクシミリ装置などから構成されるネットワークシステムを示した図である。
【図２】本発明に係わるネットワークファクシミリ装置を説明するためのブロック図である。
【図３】宛先アドレスの形式に対応して、入力可能文字が定められている対応表を示した図である。
【図４】宛先アドレスの形式をＩＰアドレスであると判別しユーザに確認する処理について説明するためのフロー図である。
【図５】表示画面の一例を示した図である。
【図６】表示画面の他の例を示した図である。
【図７】宛先アドレスの形式をホスト名であると判別しユーザに確認する処理について説明するためのフロー図である。
【図８】表示画面の他の例を示した図である。
【図９】宛先アドレスの形式を自機登録番号であると判別しユーザに確認する処理について説明するためのフロー図である。
【図１０】表示画面の他の例を示した図である。
【図１１】宛先アドレスがＳＩＰアドレス等であると判別しユーザに確認する処理について説明するためのフロー図である。
【図１２】表示画面の他の例を示した図である。
【図１３】表示画面の他の例を示した図である。
【図１４】表示画面の他の例を示した図である。
【図１５】表示画面の他の例を示した図である。
【符号の説明】
【００５３】
１…ネットワークファクシミリ装置、２…ＤＮＳサーバー装置、３…ゲートキーパー装置、４…ＳＩＰサーバー装置、５…ゲートウェイ装置、６…アナログファクシミリ装置。１１…操作部、１２…ネットワークＩ／Ｆ、１３…スキャナ部、１４…ファクシミリ部、１５…印字部、１６…ＲＯＭ、１７…ＲＡＭ、１８…ＨＤＤ、１９…制御部、２１…送信確認制御部、２１ａ…宛先アドレス形式判別部、２１ｂ…確認用画面表示制御部、５０…対応表。
【図１】
2009224999.tif 000003
【図２】
2009224999.tif 000004
【図３】
2009224999.tif 000005
【図４】
2009224999.tif 000006
【図５】
2009224999.tif 000007
【図６】
2009224999.tif 000008
【図７】
2009224999.tif 000009
【図８】
2009224999.tif 000010
【図９】
2009224999.tif 000011
【図１０】
2009224999.tif 000012
【図１１】
2009224999.tif 000013
【図１２】
2009224999.tif 000014
【図１３】
2009224999.tif 000015
【図１４】
2009224999.tif 000016
【図１５】
2009224999.tif 000017